(57)【要約】  本発明は、非ＤＶＤ光学記憶媒体上にＤＶＤフォーマットで記録されたデータをデジタル・ビデオ・ディスク（ＤＶＤ）装置に於いて再生する方法（２００）に関する。この発明は、非ＤＶＤ光学記憶媒体の物理的な種類を特定するステップ（２１２）と、非ＤＶＤ光学記憶媒体上に収められたファイル構造を読み取るステップ（２１４）と、非ＤＶＤ光学記憶媒体上のファイル構造がＤＶＤファイル構造である場合、ＤＶＤビデオ再生ドライバを起動するステップ（２１６）と、を含んでいる。一構成に於いて、非ＤＶＤ光学記憶媒体の物理的な種類は、レーザと非ＤＶＤ光学記憶媒体の反射面とによって規定される焦点距離を調べることによって、特定できる。また、本発明は、非ＤＶＤ光学記憶媒体上にＤＶＤフォーマットで記録されたデータを再生できるＤＶＤ装置（１００）に関する。
2005513700.tif 000002
【特許請求の範囲】
【請求項１】
デジタル・ビデオ・ディスク（ＤＶＤ）装置（１００）に於いてデータを再生する方法（２００）であって、
前記データが非ＤＶＤ光学記憶媒体上にＤＶＤフォーマットで記録されていることがあり、
前記非ＤＶＤ光学記憶媒体の物理的な種類を特定するステップ（２１２）と、
前記非ＤＶＤ光学記憶媒体上に収められたファイル構造を読み取るステップ（２１４）と、
前記非ＤＶＤ光学記憶媒体上の前記ファイル構造がＤＶＤファイル構造である場合、ＤＶＤビデオ再生ドライバを起動するステップ（２１６）と、
を含む方法。
【請求項２】
前記特定するステップ（２１２）には、焦点距離を調べることによって前記非ＤＶＤ光学記憶媒体の物理的な種類を特定するステップが含まれる、請求項１記載の方法。
【請求項３】
前記特定するステップ（２１２）には、レーザと前記非ＤＶＤ光学記憶媒体の反射面とによって規定される焦点距離を調べることによって、前記非ＤＶＤ光学記憶媒体がコンパクト・ディスク（ＣＤ）であるか否かを特定するステップが含まれる、請求項２記載の方法。
【請求項４】
前記起動するステップ（２１６）には、前記非ＤＶＤ光学記憶媒体上のファイル構造がＣＤファイル構造である場合に、オーディオ再生ドライバを起動するステップが含まれる、請求項３記載の方法。
【請求項５】
前記ＤＶＤ装置（１００）がＤＶＤプレーヤである、請求項１記載の方法。
【請求項６】
前記ＤＶＤ装置（１００）がＤＶＤレコーダである、請求項１記載の方法。
【請求項７】
光学記憶媒体（１１２）上にデジタル・ビデオ・ディスク（ＤＶＤ）フォーマットで記録されたデータを、ＤＶＤ装置に於いて、再生できるようにする方法であって、
前記光学記憶媒体の物理的な種類を特定するステップ（２１２）と、
前記光学記憶媒体上に収められたファイル構造を読み取るステップ（２１４）と、
前記光学記憶媒体がコンパクト・ディスク（ＣＤ）であり、且つ、前記光学記憶媒体上の前記ファイル構造がＤＶＤファイル構造である場合、ＤＶＤビデオ再生ドライバを起動するステップ（２１６）と、
を含んでいる方法。
【請求項８】
前記特定するステップ（２１２）には、焦点距離を調べることによって前記光学記憶媒体（１１２）の物理的な種類を特定するステップが含まれる、請求項７記載の方法。
【請求項９】
前記起動するステップ（２１６）には、前記光学記憶媒体（１１２）上のファイル構造がＣＤファイル構造である場合に、ＣＤオーディオ再生ドライバを起動するステップが含まれる、請求項７記載の方法。
【請求項１０】
前記起動するステップ（２１６）には、前記光学記憶媒体（１１２）がビデオＤＶＤである場合に、ＤＶＤビデオ再生ドライバを起動するステップが含まれる、請求項７記載の方法。
【請求項１１】
前記ＤＶＤ装置（１００）がＤＶＤプレーヤである、請求項７記載の方法。
【請求項１２】
前記ＤＶＤ装置（１００）がＤＶＤレコーダである、請求項７記載の方法。
【請求項１３】
非ＤＶＤ光学記憶媒体上にＤＶＤフォーマットで記録されたデータを再生できるデジタル・ビデオ・ディスク（ＤＶＤ）装置であって、
前記非ＤＶＤ光学記憶媒体（１１２）の物理的な種類を特定するピックアップ構体（１１０）と、
ＤＶＤ再生ユニットに結合されたプロセッサ（１１４）と、
を含み、
前記プロセッサ（１１４）が、前記非ＤＶＤ光学記憶媒体（１１２）上に収められたファイル構造を読み出すように（２１４）プログラムされており、また、前記非ＤＶＤ光学記憶媒体が識別可能な非ＤＶＤ光学記憶媒体（１１２）であり、且つ、前記光学記憶媒体上の前記ファイル構造がＤＶＤファイル構造である場合、ＤＶＤビデオ再生ドライバを起動するように（２１６）プログラムされている、
ＤＶＤ装置。
【請求項１４】
前記識別可能な非ＤＶＤ光学記憶媒体（１１２）がコンパクト・ディスク（ＣＤ）である、請求項１３記載のＤＶＤ装置。
【請求項１５】
複数のデジタル・フォーマットのうちの任意のもので記録されたデータを光学記憶媒体から再生できるデジタル・ビデオ・ディスク（ＤＶＤ）装置であって、
前記光学記憶媒体（１１２）の物理的な種類を特定するピックアップ構体（１１０）と、
ＤＶＤプレーヤに結合されたプロセッサ（１１４）と、
を含み、
前記プロセッサ（１１４）が、前記光学記憶媒体（１１２）上に収められたファイル構造を読み出すようにプログラムされており、また、ＤＶＤビデオ再生ドライバ、ＤＶＤオーディオ再生ドライバ、および、コンパクト・ディスク（ＣＤ）再生ドライバを含んでいるドライバ群から選択された複数の再生ドライバの中から１つの再生ドライバを選択的に起動するように（２１６）プログラムされており、前記光学記憶媒体がＣＤであり、且つ、前記光学記憶媒体上のファイル構造がＤＶＤファイル構造である場合、ＤＶＤビデオ再生ドライバが起動される、
ＤＶＤ装置。
【請求項１６】
前記プロセッサ（１１４）が、更に、前記光学記憶媒体（１１２）がＤＶＤであり、且つ、前記光学記憶媒体（１１２）上のファイル構造がＣＤファイル構造である場合に、選択的にＣＤ再生ドライバを起動するように（２１６）プログラムされている、請求項１５記載のＤＶＤ装置。
【請求項１７】
前記プロセッサ（１１４）が、更に、前記光学記憶媒体（１１２）がＤＶＤであり、且つ、前記光学記憶媒体上のファイル構造がＤＶＤオーディオ・ファイル構造である場合に、選択的にＤＶＤオーディオ再生ドライバを起動するように（２１６）プログラムされている、請求項１５記載のＤＶＤ装置。
【請求項１８】
前記プロセッサ（１１４）が、更に、前記光学記憶媒体（１１２）がＤＶＤであり、且つ、前記光学記憶媒体（１１２）上のファイル構造がＤＶＤビデオ・ファイル構造である場合に、選択的にＤＶＤビデオ再生ドライバを起動するように（２１６）プログラムされている、請求項１５記載のＤＶＤ装置。 
【発明の詳細な説明】
【技術分野】
【０００１】
本発明は、一般に、ビデオ記録システムに関し、詳しくは、デジタル的に符号化されたビデオ・シーケンスを、例えば記録可能な光学記憶媒体、ハード・ドライブ、光磁気ディスク等の記憶媒体上に記録する、ビデオ記録システムに関する。
【背景技術】
【０００２】
現在、一般消費者は、オーディオ・セグメント、ビデオ・セグメント、或いは、それらの組み合わせを記録する為に、数種類の技術を利用できる。例えば、一般消費者の多くが、このようなセグメントを記録する為に、デジタル・ビデオ・ディスク（ＤＶＤ）或いはコンパクト・ディスク（ＣＤ）のような光学記憶媒体技術を利用している。特に、ＣＤとＤＶＤの両者は、オーディオとビデオを受け取り記憶することが出来る。更に、ＣＤ−ＲＯＭやＣＤ−ＲＷのような記録可能なＣＤは、ＤＶＤフォーマットで記録されたマルティメディア・データを受け取り記憶することが出来る。しかし、ここで注意すべき点は、ＤＶＤフォーマットで記録され、記録可能なＣＤ上に記憶されたマルティメディア・データは、ＤＶＤプレーヤやＤＶＤレコーダでは再生できないことである。これは、現在、ＤＶＤプレーヤとＤＶＤレコーダが、ＤＶＤディスク以外のものに記憶されたＤＶＤフォーマット化データを認識できない為である。従って、プログラム（番組）やイベントをＤＶＤフォーマットで記録しようとする一般消費者は、そのデータをＤＶＤプレーヤやＤＶＤレコーダで再生したい場合、ＤＶＤレコーダを使用して、そのデータを記録可能なＤＶＤディスクに記録する必要がある。
【０００３】
残念ながら、この現在の限られた方法には、経済的な面で問題が有る。例えば、ＤＶＤレコーダは、一般消費者にとって利用可能ではあるが、未だ比較的高価であり、数千ドルするモデルもある。更に、一般消費者がそのようなＤＶＤレコーダを購入できるとしても、記録可能なＤＶＤの現在の価格は、記録可能なＣＤの価格に比べ、相当高い。従って、実質的に、コストが増大することなく、また、現在のＤＶＤプレーヤやＤＶＤレコーダが複雑化することなく、記録可能なＣＤにＤＶＤフォーマットで記録されたデータを、ＤＶＤプレーヤおよび／またはＤＶＤレコーダで、再生できるようにする方法が必要である。
【発明の開示】
【０００４】
（発明の概要）
本発明は、デジタル・ビデオ・ディスク（ＤＶＤ）装置に於いて、データを再生する方法に関し、該データは、非ＤＶＤ光学記憶媒体上にＤＶＤフォーマットで記録されていることがある。この方法は、非ＤＶＤ光学記憶媒体の物理的な種類を特定するステップと、非ＤＶＤ光学記憶媒体上に収められた（ｃｏｎｔａｉｎｅｄ：入れられた、記録された）ファイル構造を読み取るステップと、非ＤＶＤ光学記憶媒体上のファイル構造がＤＶＤファイル構造である場合、ＤＶＤビデオ再生ドライバを起動するステップと、を含んでいる。一構成に於いて、上記特定するステップには、焦点距離を調べることによって非ＤＶＤ光学記憶媒体の物理的な種類を特定するステップが含まれる。この焦点距離は、レーザと非ＤＶＤ光学記憶媒体の反射面とによって規定できる。
【０００５】
別の一構成に於いて、上記起動するステップには、非ＤＶＤ光学記憶媒体上のファイル構造がＣＤファイル構造である場合に、オーディオ再生ドライバを起動するステップが含まれる。また、ＤＶＤ装置としては、ＤＶＤプレーヤ或いはＤＶＤレコーダがある。
【０００６】
また、本発明は、光学記憶媒体上にデジタル・ビデオ・ディスク（ＤＶＤ）フォーマットで記録されたデータを、ＤＶＤ装置に於いて、再生できるようにする方法に関する。この方法は、光学記憶媒体の物理的な種類を特定するステップと、光学記憶媒体上に収められたファイル構造を読み取るステップと、光学記憶媒体がコンパクト・ディスク（ＣＤ）であり、且つ、光学記憶媒体上のファイル構造がＤＶＤファイル構造である場合、ＤＶＤビデオ再生ドライバを起動するステップと、を含んでいる。この方法に従えば、上記特定するステップには、焦点距離を調べることによって光学記憶媒体の物理的な種類を特定するステップが含まれる。
【０００７】
一構成に於いて、上記起動するステップには、光学記憶媒体上のファイル構造がＣＤファイル構造である場合に、ＣＤオーディオ再生ドライバを起動するステップが含まれる。別の一構成に於いて、上記起動するステップには、光学記憶媒体がビデオＤＶＤである場合に、ＤＶＤビデオ再生ドライバを起動するステップが含まれる。この方法に於いて、ＤＶＤ装置としては、ＤＶＤプレーヤ或いはＤＶＤレコーダがある。
【０００８】
また、本発明は、非ＤＶＤ光学記憶媒体上にＤＶＤフォーマットで記録されたデータを再生することができるデジタル・ビデオ・ディスク（ＤＶＤ）装置に関する。このＤＶＤ装置には、非ＤＶＤ光学記憶媒体の物理的な種類を特定するピックアップ構体と、ＤＶＤ再生ユニットに結合されたプロセッサと、が含まれている。該プロセッサは、非ＤＶＤ光学記憶媒体上に収められたファイル構造を読み出すようにプログラムされており、また、非ＤＶＤ光学記憶媒体が識別可能な非ＤＶＤ光学記憶媒体であり、且つ、光学記憶媒体上のファイル構造がＤＶＤファイル構造である場合に、ＤＶＤビデオ再生ドライバを起動するようにプログラムされている。一構成に於いて、識別可能な非ＤＶＤ光学記憶媒体としては、コンパクト・ディスク（ＣＤ）がある。
【０００９】
また、本発明は、複数のデジタル・フォーマットのうちの任意のもので記録されたデータを光学記憶媒体から再生することができるデジタル・ビデオ・ディスク（ＤＶＤ）装置に関する。このＤＶＤ装置には、光学記憶媒体の物理的な種類を特定するピックアップ構体と、ＤＶＤプレーヤに結合されたプロセッサと、が含まれている。該プロセッサは、光学記憶媒体上に収められたファイル構造を読み出すようにプログラムされており、また、ＤＶＤビデオ再生ドライバ、ＤＶＤオーディオ再生ドライバ、および、コンパクト・ディスク（ＣＤ）再生ドライバを含むドライバ群から選択された複数の再生ドライバの中から１つの再生ドライバを選択的に起動するようにプログラムされており、光学記憶媒体がＣＤであり、且つ、光学記憶媒体上のファイル構造がＤＶＤファイル構造である場合、ＤＶＤビデオ再生ドライバが起動される。
【００１０】
一構成に於いて、上記プロセッサは、更に、光学記憶媒体がＤＶＤであり、且つ、光学記憶媒体上のファイル構造がＣＤファイル構造である場合に、選択的にＣＤ再生ドライバを起動するようにプログラムされている。また、プロセッサは、更に、光学記憶媒体がＤＶＤであり、且つ、光学記憶媒体上のファイル構造がＤＶＤオーディオ・ファイル構造である場合に、選択的にＤＶＤオーディオ再生ドライバを起動するようにプログラムされている。また、プロセッサは、更に、光学記憶媒体がＤＶＤであり、且つ、光学記憶媒体上のファイル構造がＤＶＤビデオ・ファイル構造である場合に、選択的にＤＶＤビデオ再生ドライバを起動するようにプログラムされている。
【発明を実施するための最良の形態】
【００１１】
図１には、本発明の構成に従って、種々の高度な動作を行うＤＶＤ装置１００が、ブロック図の形式で示されている。尚、本発明は、図１に示された特定のシステムに限定されるものではなく、その他の適切な任意のＤＶＤ装置で実施することができる。ＤＶＤ装置１００には、光学記憶媒体１１２に対してデータを読み書きするためのピックアップ構体１１０が含まれている。更に、このピックアップ構体１１０には、レーザ装置（図示せず）と、フォーカス・ドライバ（図示せず）と、光学記憶媒体１１２の物理的な種類を特定するための適切なソフトウェアおよび回路とが組み込まれている。フォーカス・ドライバは、データを読み出そうとする光学記憶媒体の反射面上にレーザを集束させる。また、ＤＶＤ装置１００には、マイクロプロセッサ１１４が含まれ、更に、光学記憶媒体１１２から読み出されたデータを復号するデコーダ１１６が含まれている。本発明の目的に合わせて、ここで使用する用語の「データ」には、ビデオ、オーディオ、および、それらの組み合わせのデータの意味が含まれている。また、制御用のインタフェース、および、データ用のインタフェースを設けて、マイクロプロセッサ１１４が、デコーダ１１６の動作、および、ピックアップ構体１１０の動作を制御することができる。
【００１２】
また、マイクロプロセッサ１１４には、１つ或いは複数の再生ドライバが含まれている。例えば、マイクロプロセッサ１１４には、ＤＶＤビデオ再生ドライバ、ＤＶＤオーディオ再生ドライバ、および、ＣＤ再生ドライバが含まれている。尚、本発明はこの構成に限定されるものではなく、ＤＶＤ装置１００には、その他の適切な任意の種類の再生ドライバを組み込むことが出来る。また、マイクロプロセッサ１１４が実行する従来の動作のための適切なソフトウェア、或いは、ファームフェアが設けられている。更に、本発明の構成に従うマイクロプロセッサ１１４用のプログラム・ルーチンが設定されている。
【００１３】
動作を説明すると、ピックアップ構体１１０のフォーカス・ドライバが、光学記憶媒体１１２の反射面上にレーザを集束させるようにする。当業者に周知のように、反射面の深さは、種々の光学記憶媒体により異なる。集束サーボ制御信号を評価することによって、レーザのレンズと反射ディスク面との距離、即ち、焦点距離を測定する。ピックアップ構体１１０のソフトウェア形成部は、このように焦点距離を示す集束制御信号を定量化して、再生用の光学媒体の種類を、例えばルックアップ・テーブルを用いて、特定する。光学記憶媒体１１２の物理的な種類が特定されると、ピックアップ構体１１０はマイクロプロセッサ１１４に信号を送り、マイクロプロセッサ１１４は光学記憶媒体１１２上に収められたファイル構造を読み出す。マイクロプロセッサ１１４は、光学記憶媒体１１２から読み出されたファイル構造の種類に基づいて、適切な再生ドライバを起動する。次に、この動作を更に詳しく説明する。
【００１４】
非ＤＶＤ光学記憶媒体からＤＶＤビット・ストリームを再生する
図２のフローチャート２００は、データが非ＤＶＤ光学記憶媒体上にＤＶＤフォーマットで記録されている場合に、そのデータをＤＶＤ装置に於いて再生する１つの方法を示している。一構成に於いて、ＤＶＤ装置としては、ＤＶＤプレーヤ、或いは、ＤＶＤレコーダがある。ステップ２１０に於いて、１つの光学記憶媒体を受け取れる。この光学記憶媒体としては、例えば、ＤＶＤ、或いは、ＣＤがある。尚、本発明はこれらの例に限定されるものではなく、光学ディスク媒体が識別可能な光学記憶媒体である限り、その他の適切な種類の記憶媒体を使用できる。ステップ２１２に於いて、光学記憶媒体の物理的な種類が特定される。一構成に於いて、この特定するステップは、焦点距離を調べることによって実行できる。この焦点距離は、レーザと光学記憶媒体の反射面とによって規定できる。例えば、ＣＤについての焦点距離は、ＤＶＤについての焦点距離と違う。この違いによって、ＣＤとＤＶＤとを互いに区別することができる。尚、本発明は、この特定の光学記憶媒体の区別方法に限定されるものではなく、その他の適切な技術を使用してもよい。
【００１５】
ステップ２１４に於いて、光学記憶媒体上に収められたファイル構造が読み取られて、その光学記憶媒体の論理的な種類が特定される。このプロセスによって、光学記憶媒体の論理的な種類を特定することができる。例えば、ファイル構造中のディレクトリ構造と１つ或いは複数のファイル名を読み取って、その光学記憶媒体の論理的な種類が特定できる。本発明は、この特定の例に限定されるものではなく、その他の適切な光学記憶媒体の論理的な種類を特定する方法を使用してもよく、また、その他の適切なファイル構造を読み取って、本発明を実施してもよい。光学記憶媒体の論理的な種類が特定されると、ステップ２１６に於いて、適切な再生ドライバが起動される。
【００１６】
一構成に於いて、光学記憶媒体が非ＤＶＤ光学記憶媒体であり、且つ、その非ＤＶＤ光学記憶媒体上のファイル構造がＤＶＤファイル構造である場合、ＤＶＤビデオ再生ドライバが起動して、その非ＤＶＤ光学記憶媒体上に記録されたＤＶＤビット・ストリームを再生する。この非ＤＶＤ光学記憶媒体は、例えば、ＤＶＤビット・ストリームが記録されたＣＤである。このように、本発明によれば、ＤＶＤレコーダ、或いは、ＤＶＤプレーヤのようなＤＶＤ装置が、ＣＤ上にＤＶＤフォーマットで記録されたデータを再生できる。また、非ＤＶＤ光学記憶媒体がＣＤであり、且つ、ファイル構造がＣＤファイル構造である場合、ＣＤオーディオ再生ドライバが起動される。また、本発明によれば、光学記憶媒体がＤＶＤである場合、適切な再生ドライバが起動される。例えば、光学記憶媒体がＤＶＤであり、且つ、ファイル構造がＤＶＤビデオ・ファイル構造である場合、ＤＶＤビデオ再生ドライバが起動される。また、ＤＶＤ上のファイル構造がＤＶＤオーディオ・ファイル構造である場合、ＤＶＤオーディオ再生ドライバが起動される。尚、本発明は、これらの例に限定されるものではなく、その他の適切な再生ドライバが、データを再生すべき光学記憶媒体の物理的な種類および論理的な種類に基づいて、起動するように構成できる。ステップ２１８に於いて、フローチャート２００が終了する。
【００１７】
以上、本発明をここに開示した各実施形態に従って説明したが、これらの説明は、特許請求の範囲によって規定される本発明の例示であり、本発明の範囲を制限するものではない。
【図面の簡単な説明】
【００１８】
【図１】本発明の構成に従って、非ＤＶＤ光学記憶媒体からＤＶＤビット・ストリームを再生できるシステムのブロック図である。
【図２】本発明の構成に従って、非ＤＶＤ光学記憶媒体からＤＶＤビット・ストリームを再生する動作を例示するフローチャートである。
【図１】
2005513700.tif 000003
【図２】
2005513700.tif 000004
【国際調査報告】
2005513700.tif 000005